(57)【要約】【課題】異なる機種の遊技台用台間機への交換作業を簡単に行うことのできる遊技台用台間機を提案すること。【解決手段】各機種の台間機ホルダ３において、それらの背面プレート１１については開口部の寸法、形状、位置などが異なるものの、遊技島機枠に固定されている上下のプレート１２、１３については共通化し、台間機ホルダ３の背面プレート１１を上下のプレート１２、１３に対して固定ねじ１６、１７を用いて着脱可能な状態で固定してある。機種の異なる台間機への交換時には、台間機ホルダ３を遊技島機枠から取り外す作業および取り付ける作業が不要であり、その背面プレート１１のみを交換するだけでよい。よって、異なる機種への交換作業を簡単かつ効率良く行うことが可能になる。【選択図】      図２
2004357904.tif 000002
【特許請求の範囲】
【請求項１】
遊技媒体の貸し出しを行うために遊技台に隣接配置される遊技台用台間機において、
台間機ホルダと、前記台間機ホルダに対して前方から取り外し可能に装着されている台間機本体とを有し、
前記台間機ホルダは、前記台間機本体の背面に位置している背面プレートと、この背面プレートの上端から前方に水平に延びている上プレートと、前記背面プレートの下端から前方に水平に延びている下プレートとを備え、
前記背面プレートが前記上プレートおよび前記下プレートに対して取り外し可能な状態で固定されている遊技台用台間機。
【請求項２】
請求項１において、
前記上プレートおよび前記下プレートに前記背面プレートを取り外し可能な状態で固定しているねじ、ボルトなどの固定具を備えている遊技台用台間機。
【請求項３】
請求項２において、
前記固定具は前方から操作可能である遊技台用台間機。
【請求項４】
請求項１、２または３において、
前記上プレートおよび前記下プレートの間に掛け渡されている側面プレートと、
前記背面プレートおよび前記側面プレートの間の機械的係合部と、
を有している遊技台用台間機。
【請求項５】
請求項４において、
前記機械的係合部は係合突起と係合溝からなる遊技台用台間機。
【請求項６】
請求項４において、
前記側面プレートの少なくとも一部を前記背面プレートの背面側に折り曲げた折り曲げ部分を備え、
前記機械的係合部は、前記折り曲げ部と、当該折り曲げ部に当たっている前記背面プレートの背面部分からなる遊技台用台間機。
【請求項７】
請求項１ないし６のうちのいずれかの項に記載の遊技台用台間機の交換方法であって、
各機種の遊技台用台間機に共通の前記上プレートおよび前記下プレートを用意し、
前記背面プレートのみを各機種の遊技台用台間機毎に用意し、
前記遊技台用台間機を異なる機種に交換する際には、遊技島機枠に固定されている前記上プレートおよび下プレートをそのまま残し、前記背面プレートのみを交換することを特徴とする遊技台用台間機の交換方法。
【発明の詳細な説明】
【０００１】
【発明の属する技術分野】
本発明は、遊技媒体の貸し出しを行うために遊技台に隣接配置されている遊技台用台間機に関し、特に、異なる機種への交換を簡単に行うことのできる遊技台用台間機に関するものである。
【０００２】
【従来の技術】
遊技店においては、一般に、一列あるいは背中合わせの状態で遊技台が配列された構成の遊技島が設置され、各遊技台の間には隣接する遊技台に対する遊技媒体の貸し出しを行う台間機が配置されている。遊技者は遊技台から移動することなく、隣接する遊技台からパチンコ玉などの遊技媒体の貸し出しを受けることができる。
【０００３】
台間機は、その交換作業や保守点検の容易性を考慮して、遊技島機枠に固定された台間機ホルダに対して、制御器、紙幣識別機、カードリーダなどが内蔵された台間機本体を前方から着脱可能に装着した構成とされている。台間機ホルダは、遊技島機枠にねじ止めされている上下のプレートと、これら上下のプレートの後端部分に上下の端がスポット溶接によって固定された背面プレートから構成されている。このような構造の台間機は例えば下記の特許文献に開示されている。
【０００４】
台間機としては、ＩＣカードや磁気カードを用いるもの、紙幣のみを用いるもの、カードおよび紙幣の使用が可能であるものなど、各種のものが用いられている。これら各機種の台間機は寸法が共通化されているので、遊技島の遊技台の間に取り付けられている台間機を、異なる機種の台間機に交換可能である。台間機の交換作業においては、遊技島機枠から台間機ホルダを外して、新たに取り付ける台間機のホルダを再び遊技島機枠にねじ止め固定している。
【０００５】
【特許文献】
特開２００２−３２０７５９号公報
【０００６】
【発明が解決しようとする課題】
しかしながら、台間機ホルダを遊技島機枠から取り外す作業、およびそこに取り付ける作業は、台間機が取り付けられる遊技台間の狭い隙間内で行う必要がある。例えば４０ｃｍ幅程度の台間機取り付けスペース内で行う必要がある。したがって、台間機ホルダの交換作業は手間が掛かり、面倒である。すなわち、台間機を別の機種に交換するための作業は手間が掛かり、効率が悪いという問題点がある。
【０００７】
本発明の課題は、この点に鑑みて、台間機を異なる機種に交換する作業を簡単かつ効率良く行うことのできる遊技台用台間機を提案することにある。
【０００８】
また、本発明の課題は、この新しい遊技台用台間機を用いて簡単かつ効率良く交換作業を行うことのできる遊技台用台間機の交換方法を提案することにある。
【０００９】
【課題を解決するための手段】
上記の課題を解決するために、本発明は、遊技媒体の貸し出しを行うために遊技台に隣接配置される遊技台用台間機において、
台間機ホルダと、前記台間機ホルダに対して前方から取り外し可能に装着されている台間機本体とを有し、
前記台間機ホルダは、前記台間機本体の背面に位置している背面プレートと、この背面プレートの上端から前方に水平に延びている上プレートと、前記背面プレートの下端から前方に水平に延びている下プレートとを備え、
前記背面プレートが前記上プレートおよび前記下プレートに対して取り外し可能な状態で固定されていることを特徴としている。
【００１０】
例えば、前記上プレートおよび前記下プレートに前記背面プレートを取り外し可能な状態で固定しているねじ、ボルトなどの固定具を備えたことを特徴としている。この場合、前記固定具を前方から操作可能であることが望ましい。
【００１１】
また、背面プレートは一般に上下に細長いプレートであるので、台間機本体を差し込む際に、その中央部分が当該台間機本体の背面に押されて変形しやすい。特に、背面プレートに遊技台や遊技店の管理コンピュータと通信を行うための中継器などが取り付けられ、台間機本体を差し込むと、台間機本体の背面に取り付けられているコネクタが中継器に差し込まれて双方が接続状態になる構造の場合には、台間機本体の差込時に背面プレートが撓むと、双方を確実に結合できない惧れがある。
【００１２】
そこで、前記上プレートおよび前記下プレートの間に側面プレートを掛け渡しておき、この背面プレートと前記側面プレートの間に機械的係合部が形成されるようにすればよい。側面プレートが背面プレートに機械的に係合していると、側面プレートによって背面プレートの変形や撓みが防止される。
【００１３】
この機械的係合部は、側面プレートおよび背面プレートの一方に形成した係合突起と、他方に形成した係合溝から構成できる。この代わりに、前記側面プレートの少なくとも一部を前記背面プレートの背面側に折り曲げた折り曲げ部分を形成しておき、前記機械的係合部を、この折り曲げ部と、当該折り曲げ部に当たっている前記背面プレートの背面部分から構成してもよい。
【００１４】
本発明の遊技台用台間機を用いれば、次のようにして、異なる機種への交換作業を簡単かつ効率的に行うことができる。
【００１５】
すなわち、各機種の遊技台用台間機に共通の前記上プレートおよび前記下プレートを用意しておき、前記背面プレートのみを各機種の遊技台用台間機毎に用意する。このようにしておけば、遊技台用台間機を異なる機種に交換する際には、遊技島機枠に固定されている前記上プレートおよび前記下プレートをそのまま残し、前記背面プレートのみを交換するだけでよく、上下のプレートを遊技島機枠から取り外す作業および取り付ける作業を省略できる。
【００１６】
また、背面プレートが、前方から操作可能なねじなどの固定部材によって上下のプレートに固定されている場合には、前方から簡単に背面プレートを取り外すことができ、また、新たな背面プレートの取り付けも簡単にできる。
【００１７】
このように、本発明では、各機種の台間機ホルダにおいて、それらの背面プレートについては開口部の寸法、形状、位置などが異なるものの、上下のプレートについては共通化が可能であることに鑑みて、台間機ホルダの背面プレートを上下のプレートに着脱可能な状態で固定した構成を採用することにより、機種の異なる台間機への交換時に、台間機ホルダを遊技島機枠から取り外す作業および取り付ける作業を不要としている。よって、異なる機種への交換作業を簡単かつ効率良く行うことが可能になる。
【００１８】
【発明の実施の形態】
以下に、図面を参照して、本発明を適用した遊技台用台間機の実施の形態を説明する。
【００１９】
図１は本実施の形態に係る遊技台用台間機を示す図であり、（ａ）はその台間機本体を台間機ホルダから外した状態を示す側面図、（ｂ）は台間機ホルダの背面図、（ｃ）および（ｄ）はそれぞれ台間機ホルダの上面図および下面図である。また、図２は台間機ホルダの分解斜視図である。
【００２０】
これらの図に示すように、遊技台用台間機１は台間機本体２と台間機ホルダ３から構成されており、台間機本体２は矢印Ａで示すように前方から台間機ホルダ３に差込可能であり、差し込まれた状態を、図１（ａ）において想像線で示してある。台間機ホルダ３は、上下に細長い金属製の背面プレート１１と、その上下の端から前方に水平に延びている金属製の上プレート１２および下プレート１３と、上下のプレート１２、１３の間に掛け渡した左右の金属製の側面プレート１４、１５から構成されている。
【００２１】
背面プレート１１は、プレート本体部分１１ａと、その左右の縁から直角に前方に折れ曲がっている細幅の折り曲げ部分１１ｂ、１１ｃとを備えており、これらの折り曲げ部分１１ｂ、１１ｃの前端縁には、それぞれ上下方向に一定の間隔で前方に突出した係合爪１１ｄが４箇所に形成されている。また、背面プレート１１の上下の端には、プレート本体部分１１ａのみが上下方向に延びたフランジ１１ｅ、１１ｆが形成され、これらのフランジ１１ｅ、１１ｆの中央にはねじ穴１１ｇ、１１ｈが形成されている。
【００２２】
上プレート１２は、プレート本体部分１２ａと、その左右の縁から下方に直角に折れ曲がっている折り曲げ部分１２ｂ、１２ｃとを備えている。上プレート１２の後端にはプレート本体部分１２ａが下方に直角に折れ曲がって延びるフランジ１２ｅが形成され、この中央にねじ穴１２ｇが形成されている。上プレート１２の前端はプレート本体部分１２ａのみが前方に突出した形状とされている。また、プレート本体部分１２には、上プレート１２を遊技島機枠（図示せず）に固定するための複数のビス穴１２ｉが形成されている。この構成の上プレート１２の後端のフランジ１２ｅには、背面プレート１１の上端のフランジ１１ｅが背面側から重ねられ、この状態で、前方からねじ穴１１ｇ、１２ｇにねじ込まれた固定ねじ１６（固定具）によって相互に固定されている。
【００２３】
下プレート１３は上プレート１２とほぼ上下対称の形状をしている。すなわち、下プレート１３は、プレート本体部分１３ａと、その左右の縁から上方に直角に折れ曲がっている折り曲げ部分１３ｂ、１３ｃとを備えている。下プレート１３の後端にはプレート本体部分１３ａが上方に直角に折れ曲がって延びるフランジ１３ｆが形成され、この中央にねじ穴１３ｈが形成されている。下プレート１３の前端もプレート本体部分１３ａのみが前方に突出した形状とされている。また、プレート本体部分１３ａには、下プレート１３を遊技島機枠（図示せず）に固定するためのビス穴１３ｉが形成されている。この構成の下プレート１３の後端のフランジ１３ｆには、背面プレート１１の下端のフランジ１１ｆが背面側から重ねられ、この状態で、前方からねじ穴１１ｈ、１３ｈにねじ込まれた固定ねじ１７（固定具）によって相互に固定されている。
【００２４】
次に、左右の側面プレート１４、１５は、上下に細長い平板から形成されており、それらの上端部分１４ａ、１５ａが上プレート１２の左右の折り曲げ部分１２ｂ、１２ｃの後端部分に外側からスポット溶接により固定されている。同様に、これら側面プレート１４、１５の下端部分１４ｂ、１５ｂも、下プレート１３の左右の折り曲げ部分１３ｂ、１３ｃの後端部分に外側からスポット溶接により固定されている。
【００２５】
左右の側面プレート１４、１５の後端縁には、上下方向に一定の間隔で前方に切り込まれた係合溝１４ｄ、１５ｄがそれぞれ４箇所に形成されている。係合溝１４ｄ、１５ｄは背面プレート１１の左右の縁に形成されている係合爪１１ｄのそれぞれに対応する部位に形成されている。また、各係合溝１４ｄ、１５ｄは、各係合爪１１ｄを背面側の斜め上方から受け入れ可能な形状とされており、各係合溝１４ｄ、１５ｄの下縁部分の輪郭形状は、各係合爪１１ｄの下縁部分の輪郭形状と相補的な形状とされており、係合状態では前後方向にずれないように機械的な係合状態が形成される。換言すると、各係合爪１１ｄと各係合溝１４ｄ、１５ｄとによって、背面プレート１１と側面プレート１４、１５との間の機械的係合部が構成される。
【００２６】
ここで、各機種の遊技台用台間機の台間機ホルダを上記の台間機ホルダ３と同一の構成となるように製造する。各機種の遊技台用台間機１では、その台間機ホルダ３の上下のプレート１２、１３および左右の側面プレート１４、１５からなる枠体を共通部品として用いる。これに対して、背面プレート１１はその幅および長さと、フランジ１１ｅ、１１ｆのねじ穴１１ｇ、１１ｈと、係合爪１１ｄとは共通としてあるが、それ以外は機種に応じて異なるものになる。例えば、そのプレート本体部分１１ａに形成する開口部の個数、大きさ、形状、形成位置などは各機種に応じて異なる。
【００２７】
遊技島の新設に当たっては、遊技島機枠に遊技台を取り付ける前に、遊技島機枠に台間機ホルダ３を取り付ける。すなわち、その上下のプレート１２、１３を遊技島機枠に複数本のねじにより固定する。
【００２８】
既設の遊技島において、台間機１を別の機種の台間機と交換する場合には、既設の台間機１の台間機本体２を引き抜き、遊技島機枠に固定されている台間機ホルダ３から、背面プレート１１のみを外す。この作業は、台間機本体２を取り出すことにより空いた狭いスペースに前方から電動ドライバなどを挿入して、背面プレート１１を上下のプレート１２、１３に固定している固定ねじ１６、１７を緩めて外せばよい。取り外した背面プレート１１は、例えば、隣接の遊技台を空けて、そこから手を伸ばして背面側から取り出せばよい。
【００２９】
この後は、新たに設置する台間機の背面プレート１１を、上下のプレート１２、１３の背面側に固定ねじ１６、１７を用いて固定する。これにより、台間機ホルダ３が新たに設置する台間機の台間機ホルダになる。このように台間機ホルダを変更した後は、新しい台間機の台間機本体を台間機ホルダに前方から差し込むことにより、交換作業が終了する。
【００３０】
このように、本実施の形態に係る台間機１を用いれば、既設の遊技島に設置されている台間機を別の機種の台間機に交換する場合に、台間機ホルダ３を遊技島機枠から取り外す作業が不要になり、固定ねじ１６、１７によって取り付けられている背面プレート１１のみを交換するだけでよい。よって、台間機の交換作業を簡単かつ効率的に行うことができる。また、各機種の台間機の台間機ホルダを、背面プレート以外を共通部品とすることができるので、製造コストが下がるという利点もある。
【００３１】
さらに、本実施の形態に係る台間機１の台間機ホルダ３においては、着脱可能な背面プレート１１と、遊技島機枠に固定されている上下プレート１２、１３に架け渡した左右の側面プレート１４、１５との間の機械的係合部（係合爪１１ｄ、係合溝１４ｄ、１５ｄ）を形成してある。この結果、上下に細長く薄い背面プレート１１は、上下方向の左右の複数箇所の位置において左右の側面プレート１４、１５によって保持され、前後方向に変形あるいは撓んでしまうことが防止される。よって、背面プレート１１の側の中継器と、差し込まれる台間機本体の背面に取り付けたコネクタとが、背面プレートの撓みなどが原因となって、確実に結合できないなどの不具合も発生しないという利点がある。
【００３２】
（台間機ホルダの別の例）
図３は、台間機ホルダ３の別の構成を示す分解斜視図である。この図に示す台間機ホルダ３Ａも、上下に細長い金属製の背面プレート１１１と、その上下の端から前方に水平に延びている金属製の上プレート１１２および下プレート１１３と、上下のプレート１２、１３の間に掛け渡した左右の金属製の側面プレート１１４、１１５から構成されている。
【００３３】
背面プレート１１１は細長い平板状のものであり、その上下の端部分には、ねじ穴１１１ｇ、１１１ｈが形成されている。
【００３４】
上プレート１１２は、プレート本体部分１１２ａと、その左右の縁から下方に直角に折れ曲がっている折り曲げ部分１１２ｂ、１１２ｃとを備えている。上プレート１１２の後端にはプレート本体部分１１２ａが下方に直角に折れ曲がって延びるフランジ１１２ｅが形成され、この中央にねじ穴１１２ｇが形成されている。上プレート１１２の前端はプレート本体部分１１２ａのみが前方に突出した形状とされている。また、プレート本体部分１１２には、上プレート１１２を遊技島機枠（図示せず）に固定するための複数のビス穴１１２ｉが形成されている。この構成の上プレート１１２の後端のフランジ１１２ｅには、背面プレート１１１の上端部分が前側から重ねられ、この状態で、前方からねじ穴１１１ｇ、１１２ｇにねじ込まれた固定ねじ１１６（固定具）によって相互に固定されている。
【００３５】
下プレート１１３は上プレート１１２とほぼ上下対称の形状をしている。すなわち、下プレート１１３は、プレート本体部分１１３ａと、その左右の縁から上方に直角に折れ曲がっている折り曲げ部分１１３ｂ、１１３ｃとを備えている。下プレート１１３の後端にはプレート本体部分１１３ａが上方に直角に折れ曲がって延びるフランジ１１３ｆが形成され、この中央にねじ穴１１３ｈが形成されている。下プレート１１３の前端もプレート本体部分１１３ａのみが前方に突出した形状とされている。また、プレート本体部分１１３ａには、下プレート１１３を遊技島機枠（図示せず）に固定するためのビス穴１１３ｉが形成されている。この構成の下プレート１１３の後端のフランジ１１３ｆには、背面プレート１１１の下端部分が前側から重ねられ、この状態で、前方からねじ穴１１１ｈ、１１３ｈにねじ込まれた固定ねじ１１７（固定具）によって相互に固定されている。
【００３６】
次に、左右の側面プレート１１４、１１５は、上下に細長いプレート本体部分１１４ａ、１１５ａと、この後端縁から内側に直角に折れ曲がっている細幅の折り曲げ部分１１４ｂ、１１５ｂとを備えている。プレート本体部分１１４ａ、１１５ａの上下の端が、それぞれ、上プレート１１２の左右の折り曲げ部分１１２ｂ、１１２ｃの後端部分、および下プレート１１３の左右の折り曲げ部分１１３ｂ、１１３ｃの後端部分に外側からスポット溶接により固定されている。
【００３７】
図３（ｂ）から分かるように、背面プレート１１１は、前側から、左右の側面プレート１１４、１１５の折り曲げ部分１１４ｂ、１１５ａに重ね合わせた状態で、上下のプレート１１２、１１３の間に架け渡されている。よって、背面プレート１１１の左右の縁部分がこれら折り曲げ部分１１４ｂ、１１５ｂに当接した機械的係合部が形成され、これにより、細くて薄い背面プレート１１１の撓みや変形が防止される。
【００３８】
この構成の台間機ホルダ３Ａも上記の台間機ホルダ３を用いる場合と同様の作用効果を得ることができる。また、台間機ホルダ３Ａの場合には、台間機の交換時に、上下のプレート１１２、１１３から取り外した背面プレート１１１を前方に取り出すことができ、前方から新たな背面プレートを取り付けることができる。よって、作業が簡単になるという利点がある。
【００３９】
【発明の効果】
以上説明したように、本発明では、各機種の台間機ホルダにおいて、それらの背面プレートについては開口部の寸法、形状、位置などが異なるものの、上下のプレートについては共通化が可能であることに鑑みて、台間機ホルダの背面プレートを上下のプレートに着脱可能な状態で固定した構成を採用することにより、機種の異なる台間機への交換時に、台間機ホルダを遊技島機枠から取り外す作業および取り付ける作業を不要としている。よって、異なる機種への交換作業を簡単かつ効率良く行うことが可能になる。
【図面の簡単な説明】
【図１】本発明を適用した遊技台用台間機を示す図であり、（ａ）はその台間機本体を台間機ホルダから外した状態を示す側面図、（ｂ）は台間機ホルダの背面図、（ｃ）および（ｄ）はそれぞれ台間機ホルダの上面図および下面図である。
【図２】図１の台間機ホルダの分解斜視図である。
【図３】（ａ）は台間機ホルダの別の例を示す分解斜視図であり、（ｂ）はその部分拡大図である。
【符号の説明】
１    遊技台用台間機
１１ｅ、１１ｈ  ねじ穴
２    台間機本体
３、３Ａ    台間機ホルダ
１１、１１１  背面プレート
１１ｄ  係合爪
１２、１１２  上プレート
１２ｅ、１１２ｅ  ねじ穴
１３、１１３  下プレート
１３ｈ、１１３ｈ  ねじ穴
１４、１５、１１４、１１５  側面プレート
１４ｄ、１５ｄ  係合溝
１１４ｂ、１１５ｂ  折り曲げ部分
１６、１７、１１６、１１７  固定ねじ
【図１】
2004357904.tif 000003
【図２】
2004357904.tif 000004
【図３】
2004357904.tif 000005